(57)【要約】【課題】一端が基板ホルダ本体に収容された基板に接続され、他端が制御部に接続される電線を束ねて確実に保持することができ、その上電線処理作業が簡単で加工費を低減できる安価な電気機器の基板ホルダを提供する。【解決手段】電気機器の一部をなす電子部品を搭載した基板を収容する基板ホルダ本体２と、基板ホルダ本体２から延設されて電気機器の制御部の近傍に達する電線保持部１０とを一体に形成し、この電線保持部１０に、一端が基板に接続された電線を束ねて保持する電線保持手段１２，１３と、この電線を固定する電線固定手段１５とを設けた。【選択図】図１
2007123557.tif 000002
【特許請求の範囲】
【請求項１】
電気機器の一部をなす電子部品を搭載した基板を収容する基板ホルダ本体と、該基板ホルダ本体から延設されて前記電気機器の制御部の近傍に達する電線保持部とを一体に形成し、
前記電線保持部に、一端が前記基板に接続された電線を束ねて保持する電線保持手段と、該電線を固定する電線固定手段とを設けたことを特徴とする電気機器の基板ホルダ。
【請求項２】
前記電線保持手段を、前記電線保持部の長手方向の上下に交互に設けたほぼ円弧状の上部保持片と下部保持片とによって構成したことを特徴とする請求項１記載の電気機器の基板ホルダ。
【請求項３】
前記電線固定手段を、前記電線保持部の先端部又は先端部を含む長手方向の複数個所に、前記電線保持部と一体にかつ折曲げ可能に設けたほぼＬ字状の固定片によって構成したことを特徴とする請求項１又は２記載の電気機器の基板ホルダ。
【請求項４】
前記基板ホルダの長手方向のほぼ中央部に折曲げ部を設け、該折曲げ部により前記基板ホルダを１８０°の範囲で折曲げ得るように構成したことを特徴とする請求項１〜３のいずれかに記載の電気機器の基板ホルダ。
【発明の詳細な説明】
【技術分野】
【０００１】
本発明は、例えば空気調和機などの電気機器に広く使用される電子部品等を搭載した基板を収容する基板ホルダに関するものである。
【背景技術】
【０００２】
例えば、電気機器である空気調和機においては、一般に、幅方向の中央部付近に基板が収容された基板ホルダを設置し、一端が基板に接続された電線の他端を、基板ホルダから離れた位置に設けた制御部に接続するようになっている。
このような基板ホルダに、基板が収容される基板ホルダ本体を構成する基板固定部又は基板蓋部のいずれか一方を下方に延設して延設部を設け、この延設部に電線を固定する電線固定手段を一体に形成したものがある（例えば、特許文献１参照）。
【０００３】
【特許文献１】特開平１１−５４９６２号公報（第４−５頁、図２）
【発明の開示】
【発明が解決しようとする課題】
【０００４】
特許文献１の基板ホルダによれば、基板ホルダ本体の近傍の電線は電線固定手段によって固定されるが、基板ホルダ本体から制御部までの間の複数本の電線は散乱し易く、前面パネルを空気調和機本体に装着する際などに、電線を噛むおそれがある。そのため、複数本の電線を適当な間隔で複数個所で束ねてテープで止めたり、バンドで締め付けたりする必要があり、この電線を束ねて固定するための作業が面倒で作業性が悪いため加工費が増加して高価になるという問題があった。
【０００５】
本発明は、上記の課題を解決するためになされたもので、一端が基板ホルダ本体に収容された基板に接続され、他端が制御部に接続される電線を束ねて確実に保持することができ、その上電線処理作業が簡単で加工費を低減できる安価な電気機器の基板ホルダを提供することを目的としたものである。
【課題を解決するための手段】
【０００６】
本発明に係る基板ホルダは、電気機器の一部をなす電子部品を搭載した基板を収容する基板ホルダ本体と、該基板ホルダ本体から延設されて前記電気機器の制御部の近傍に達する電線保持部とを一体に形成し、前記電線保持部に、一端が前記基板に接続された電線を束ねて保持する電線保持手段と、該電線を固定する電線固定手段とを設けたものである。
【発明の効果】
【０００７】
本発明によれば、電線を束ねて確実に保持することができ、その上電線を結束するための別部品が不要になるばかりでなく、電線処理作業が簡単で作業工数を減らすことができて加工費を低減することができるので、安価な電気機器の基板ホルダを得ることができる。
また、基板ホルダを長手方向のほぼ中央部から折曲げてコンパクトにしうるようにしたので、保管や輸送時の収容スペースを小さくすることができる。
【発明を実施するための最良の形態】
【０００８】
［実施の形態１］
図１は本発明の実施の形態１に係る基板ホルダの斜視図である。
図において、１は例えば合成樹脂を成形加工してなる基板ホルダで、一方の端部に設けられて、例えば電気機器のほぼ中央部に設置される基板ホルダ本体２と、この基板ホルダ本体２から一体に延設された電線保持部１０とからなり、この電線保持部１０は基板ホルダ本体２から離れた位置に設けられた電気機器の制御部（図示せず）の近傍に達する長さとなっている。
【０００９】
基板ホルダ本体２は、図２に示すように、基板収容部３と、薄肉に形成された折曲げ部５を介して基板収容部３に開閉可能に連結された蓋部４とからなり、蓋部４には後述の電線の取出口６が設けられており、また、後述の基板に搭載された背の高い電気部品が収容される筒状の収容部７が設けられている。８ａは基板収容部２に設けられた係止穴、８ｂは蓋部４に設けられて係止穴８ａに係止する係止部である。
【００１０】
基板ホルダ本体２から一体に延設された電線保持部１０は、水平片１１ａと垂直片１１ｂとによりほぼＬ字状に形成されており、水平片１１ａの長手方向には、所定の間隔で斜め上方に円弧状に折曲げられた電線保持手段を構成する下部保持片１２が設けられており、また、垂直片１１ｂの長手方向には、斜め下方に円弧状に折曲げられた電線保持手段を構成する上部保持片１３が、下部保持片１２と交互に設けられている。そして、水平片１１ａの上部保持片１３と対向する部分は切除されて、切除部１４が形成されている。
【００１１】
１５は電線保持部１０の基板ホルダ本体２と反対側の先端部、又はこの先端部を含む長手方向の複数個所に設けられた電線固定手段を構成する電線固定部で、図２（ｂ）に示すように、垂直片１１ｂから、薄肉に形成された折曲げ部１７を介して設けられたＬ字状の固定片１６を有し、折曲げ部１７により固定片１６を折曲げたときに、固定片１６に設けた係合穴１８ｂが水平片１１ａに設けた係止突部１８ｂに係合して固定されるようになっている。
【００１２】
次に、上記のように構成した本実施の形態に係る基板ホルダ１への基板及び電線の取付け手順について説明する。
先ず、図３に示すように、複数本の電線２２の一端に設けたコネクタ２３ａが接続され、複数の電子部品等２１が搭載された基板２１を、基板ホルダ本体２の基板収容部３に収容する。そして、図４に示すように、蓋部４を閉じてその係止部８ｂを係止穴８ａに係止し、固定する。このとき、基板２０に搭載された背の高い電子部品等２１は電気部品収納部７内に収納され、コネクタ２３ａに接続された電線は、蓋体４に設けた取出口６から引き出される。
【００１３】
ついで、電線２２を電線保持部１０の下部保持片１２と上部保持片１３の間を蛇行させ、両者の間に形成された空間部内を通して、他端に設けたコネクタ２３ｂを電線固定部１５の外側（図の右側）に位置させる。このとき、水平部１１ａに設けた切除部１４から指を入れることができるので、電線２２の処理が容易である。そして、コネクタ２３ｂを引っ張って電線２２のたるみを伸ばし、電線固定部１５の固定片１６を折曲げて電線２２を挾持し、その接合穴１８ｂを係止突部１８ａに係止させて固定する。このときの状態を図４に示す。
【００１４】
これにより、一端が基板ホルダ本体２内に収容された基板２０に接続された電線２２は、電線保持部１０に沿って下部保持片１２と上部保持片１３との間に保持され、他端の近傍が電線固定部１５に束ねて固定されるので、散乱することがない。
なお、電線固定部１５を電線保持部１０の先端部に設けた場合を示したが、電線保持部１０が長い場合などには、電線保持部１０の先端部及び先端部と基板ホルダ本体２との間に１個又は複数個の電線固定部１５を設けてもよい。
【００１５】
本実施の形態の基板ホルダによれば、基板ホルダ本体２と、この基板ホルダ本体２から制御部近傍に達する長い電線保持部１０とを一体に形成し、一端が基板ホルダ本体２に収容された基板２０に接続された電線２２を、基板保持部１０の長手方向の上下に交互に設けた保持片１２，１３の間を通して保持させると共に、少なくとも電線保持部１０の端部において電線固定部１５により固定するようにしたので、電線の処理作業が簡素化されて作業工数を減らすことができ、かつ電線を結束するための別部品が不要になるため、加工費を低減することができる。
【００１６】
［実施の形態２］
図５は本発明の実施の形態２に係る基板ホルダの斜視図である。なお、実施の形態１と同じ部分にはこれと同じ符号を付し、説明を省略する。
本実施の形態は、実施の形態１に係る基板ホルダ１の全長のほぼ中央部近傍に、図６（ａ），（ｂ）に示すように、電線保持部１０の垂直片１１ｂの前面側（水平片側）を薄肉に形成して折曲げ部１９を設け、基板ホルダ１を１８０°の範囲で折曲げ得るようにしたものである。なお、この折曲げ部１９は、水平片１１ａの切除部１４が設けられ、かつ上部保持部１３が設けられていない位置に形成することが必要である。
【００１７】
本実施の形態は、図５に破線で示すように、基板ホルダ１を折曲げ部１９により長手方向のほぼ中央部から背中合わせに折曲げて、基板ホルダ１の長さを短くコンパクトにするようにしたものである。
本実施の形態によれば、実施の形態１の場合と同様な効果が得られるばかりでなく、さらに、長手方向のほぼ中央から折曲げて全長を短くコンパクトにすることができるので、保管や輸送に際して収容スペースを小さくすることができる。
【００１８】
上記の説明では、本発明に係る基板ホルダ１を空気調和機に実施した場合を示したが、これに限定するものではなく、他の電気機器にも実施することができる。
【図面の簡単な説明】
【００１９】
【図１】本発明の実施の形態１に係る基板ホルダの斜視図である。
【図２】図１の基板ホルダ本体及び電線固定部の説明図である。
【図３】図１の基板ホルダに基板及び電線を取付ける手順の説明図である。
【図４】図１の基板ホルダに基板及び電線を取付けた状態を示す斜視図である。
【図５】本発明の実施の形態２に係る基板ホルダの斜視図である。
【図６】図５の要部の説明図である。
【符号の説明】
【００２０】
１  基板ホルダ、２  基板ホルダ本体、１０  電線保持部、１１ａ  水平片、１１ｂ  垂直片、１２  下部保持片、１３  上部保持片、１５  電線固定部、１６  固定片、１７，１９  折曲げ部。
【図１】
2007123557.tif 000003
【図２】
2007123557.tif 000004
【図３】
2007123557.tif 000005
【図４】
2007123557.tif 000006
【図５】
2007123557.tif 000007
【図６】
2007123557.tif 000008